(57)【要約】  本発明は、式（Ｉ）［式中、１つの点線は、炭素−炭素の単結合又は二重結合を示し、他は炭素−炭素の単結合を示し、それぞれのＲは、互いに独立して、水素原子又はメチル基もしくはエチル基を示し、但し前記Ｒ基の少なくとも１つはメチル基又はエチル基であり、かつＲ1は、メチル基又はエチル基を示す］のその立体異性体のいずれかの形での化合物、又はそれらの混合物に関する。
2015502443.tif 000002
【特許請求の範囲】
【請求項１】
式
【化１】
2015502443.tif 000029
［式中、１つの点線は、炭素−炭素の単結合又は二重結合を示し、他は炭素−炭素の単結合を示し、
それぞれのＲは、互いに独立して、水素原子又はメチル基もしくはエチル基を示し、但し前記Ｒ基の少なくとも１つはメチル基又はエチル基であり、かつ
Ｒ1は、メチル基又はエチル基を示す］
のその立体異性体のいずれか１つ又はそれらの混合物の形での化合物。
【請求項２】
前記Ｒ基の２つがメチル基又はエチル基を示し、かつ前記Ｒ基の１つが水素原子を示すことを特徴とする、請求項１に記載の化合物。
【請求項３】
１つの点線が炭素−炭素の二重結合を示し、かつ他が炭素−炭素の単結合を示すことを特徴とする、請求項１又は２に記載の化合物。
【請求項４】
炭素原子４ａと８ａとの間の又は４ａと５との間の点線が、炭素−炭素の二重結合を示すことを特徴とする、請求項１から３までのいずれか１項に記載の化合物。
【請求項５】
前記化合物（Ｉ）が、１−［（１ＲＳ，４ＳＲ）−１，２，３，４，５，６，７，８−オクタヒドロ−６，７−ジメチル−１，４−メタノナフタレン−６−イル］−エタノン、１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノン、１−［（１ＲＳ，４ＳＲ，４ａＳＲ，８ａＳＲ）−５，７−ジメチル−１，２，３，４，４ａ，５，６，８ａ−オクタヒドロ−１，４−メタノナフタレン−６−イル］エタノン，１−［（１ＲＳ，４ＳＲ，４ａＳＲ，５ＳＲ，６ＲＳ，８ａＳＲ）−５，７−ジメチル−１，２，３，４，４ａ，５，６，８ａ−オクタヒドロ−１，４−メタノナフタレン−６−イル］エタノン、又は１−［（１ＲＳ，４ＳＲ，４ａＲＳ，８ａＳＲ）−７−メチルデカヒドロ−１，４−メタノナフタレン−６−イル］エタノンであることを特徴とする、請求項１に記載の化合物。
【請求項６】
請求項１から５までのいずれか１項に記載の式（Ｉ）の化合物の付香成分としての使用。
【請求項７】
以下、
ｉ）請求項１から５までのいずれか１項に記載の少なくとも１つの式（Ｉ）の化合物、
ｉｉ）香料キャリヤー及び香料ベースからなる群から選択される少なくとも１つの成分、並びに
ｉｉｉ）場合により少なくとも１つの香料補助剤
を含む、付香組成物。
【請求項８】
以下、
ｉ）請求項１から５までのいずれか１項に記載の少なくとも１つの式（Ｉ）の化合物、及び
ｉｉ）香料消費者ベース
を含む、付香消費者製品。
【請求項９】
前記香料消費者ベースが、香水、織物ケア製品、ボディケア製品、エアケア製品又はホームケア製品であることを特徴とする、請求項８に記載の付香消費者製品。
【請求項１０】
前記香料消費者ベースが、ファイン香水、コロン、アフターシェービングローション、液体又は固形洗剤、織物柔軟剤、織物リフレッシャー、アイロン水、紙、漂白剤、シャンプー、染毛料、ヘアスプレー、バニシングクリーム、デオドラント又は発汗抑制剤、着香石鹸、シャワー又はバスムース、オイル又はゲル、衛生製品、エアフレッシュナー、“すぐに使用できる”粉末エアフレッシュナー、ワイプ、皿用洗剤又は硬質表面洗剤であることを特徴とする、請求項８に記載の付香消費者製品。
【発明の詳細な説明】
【技術分野】
【０００１】
本発明は、香料の分野に関する。より詳述すれば、本発明は、ウッディー、アンバー／シダータイプの有用な付香成分である、以下で定義した式（Ｉ）の化合物に関する。本発明は、付香組成物の又は付香消費者製品の一部として本発明の化合物にも関する。
【０００２】
先行技術
我々の知る限り、本発明の式（Ｉ）の化合物は、新規である。
【０００３】
我々の知る限り、香料において公知の最も近い類似物は、ＵＳ ３９２９６７７号において記載されているものである。しかしながら、本発明の化合物は、先行技術の化合物のにおいといくつか類似したにおいプロフィールを有するが、本発明の化合物は、著しく異なる化学構造を有することにより、先行技術の化合物とは異なる。この先行文献は、式（Ｉ）の化合物の任意の感覚刺激性を報告又は示唆しておらず、かつ香料の分野における該化合物の任意の使用を報告又は示唆していない。
【０００４】
発明の詳細
驚くべきことに、式
【化１】
2015502443.tif 000003
［式中、１つの点線は、炭素−炭素の単結合又は二重結合を示し、他は炭素−炭素の単結合を示し、
それぞれのＲは、互いに独立して、水素原子又はメチル基もしくはエチル基を示し、但し前記Ｒ基の少なくとも１つはメチル基又はエチル基であり、かつ
Ｒ1は、メチル基又はエチル基を示す］
のその立体異性体のいずれか１つ、又はそれらの混合物の形での化合物を、付香成分として、例えばウッディータイプのにおいノートを付与するために使用できることが発見されている。
【０００５】
前記種類のにおいは、ここでウッディーとして記載されるが、種々の化合物がウッディー種の種々のシェードを有することが意図される。これらのシェードは、シダー、アンバー、パチュリ及び／又はルーティな側面を含んでよい。
【０００６】
明確化のために、“１つの点線は、炭素−炭素の単結合又は二重結合を示し、他は炭素−炭素の単結合を示す”の表現又は同様の表現に関しては、当業者によって理解される通常の意味、すなわち、該点線によって連結されている炭素原子間の全体の結合（実線及び点線）が、炭素−炭素の単結合又は二重結合であることを意味する。
【０００７】
本発明の特定の一実施態様に従って、前記Ｒ基の少なくとも１つはメチル基又はエチル基を示し、かつ前記Ｒ基の少なくとも１つは水素原子を示す。
【０００８】
本発明の前記実施態様のいずれか１つに従って、前記Ｒ基の２つはメチル基又はエチル基を示し、かつ前記Ｒ基の１つは水素原子を示す。
【０００９】
本発明の前記実施態様のいずれか１つに従って、Ｒ1はメチル基を示す。
【００１０】
本発明の前記実施態様のいずれか１つに従って、前記化合物（Ｉ）は、Ｃ14〜Ｃ15化合物である。
【００１１】
本発明の前記実施態様のいずれか１つに従って、前記化合物（Ｉ）は、１つの点線が炭素−炭素の二重結合を示し、かつ他が炭素−炭素の単結合を示す化合物である。
【００１２】
本発明の前記実施態様のいずれか１つに従って、前記化合物（Ｉ）は、炭素原子４ａがｓｐ2炭素であり、すなわち炭素原子４ａと８ａとの間の、又は４ａと５との間の点線が、炭素−炭素の二重結合を示す化合物である。かかる場合において、前記化合物（Ｉ）は、式
【化２】
2015502443.tif 000004
［式中、点線及びＲは、前記と同様の意味を有する］の化合物であってよい。式（ＩＩ）の特定の一実施態様に従って、前記Ｒの１つは水素を示し、他のＲはメチル基又はエチル基を示す。
【００１３】
明確化のために、“その立体異性体のいずれか１つ”の表現又は同様の表現は、当業者によって理解される通常の意味、すなわち本発明の化合物が、純粋なエナンチオマー（キラルの場合）又はジアステレオマーであってよいことを意味する。
【００１４】
本発明の前記実施態様のいずれか１つに従って、炭素原子４ａ及び８ａがｓｐ3炭素である場合に、前記化合物は、式
【化３】
2015502443.tif 000005
［式中、Ｒ及びＲ1は、前記と同様の意味を有する］に従って、相対立体化学を有する。
【００１５】
式（Ｉ）の化合物は、新規化合物であり、従って本発明の目的でもある。
【００１６】
本発明の化合物の特定の例として、制限のない例として、スウィート、フローラルな側面を有するウッディー、シダー／アンバーのノートによって特徴付けられるにおいを有する１−［（１ＲＳ，４ＳＲ）−１，２，３，４，５，６，７，８−オクタヒドロ−６，７−ジメチル−１，４−メタノナフタレン−６−イル］−エタノンを挙げてよい。ウッディーノートは、驚くべきことにＩｓｏ Ｅ（登録商標） Ｓｕｐｅｒ（１−（オクタヒドロ−２，３，８，８−テトラメチル−２−ナフタレニル）−１−エタノン）、出所：Ｉｎｔｅｒｎａｔｉｏｎａｌ Ｆｌａｖｏｒｓ ＆ Ｆｒａｇｒａｎｃｅｓ、ＵＳＡ）を連想させるが、グレープフルーツのアンダーノートを有し、かつより強いルーティ／ベチバーコノテーションも有することによって後者から区別される。
【００１７】
他の例として、シダー／ベチバーノートを有するウッディー、アンブリノール（ａｍｂｒｉｎｏｌ）、パチュリ及びアーシーな特徴を有し、驚くべきことにベチバー及びアイリスの側面を有するＩｓｏ Ｅ（登録商標） Ｓｕｐｅｒも連想させる、１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノンを挙げてよい。
【００１８】
他の特定の制限のない本発明の化合物の例として、次の表１におけるものを挙げてよい：
【表１】
2015502443.tif 000006
【００１９】
本発明の特定の一実施態様に従って、式（Ｉ）の化合物は、１−［（１ＲＳ，４ＳＲ）−１，２，３，４，５，６，７，８−オクタヒドロ−６，７−ジメチル−１，４−メタノナフタレン−６−イル］−エタノン、１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノン又は１−［（１ＲＳ，４ＳＲ，４ａＳＲ，５ＳＲ，６ＲＳ，８ａＳＲ）−５，７−ジメチル−１，２，３，４，４ａ，５，６，８ａ−オクタヒドロ−１，４−メタノナフタレン−６−イル］エタノンである。
【００２０】
驚くべきことに、本発明の化合物は、Ｉｓｏ Ｅ（登録商標） Ｓｕｐｅｒのにおいノートを連想させるにおいノートを有するが、しかし特定の感覚刺激性の差異も有する。このにおい類似性は、本発明の化合物の化学構造及びＩｓｏ Ｅ（登録商標） Ｓｕｐｅｒの化学構造が、特にデカリン環のメチル置換に対して極めて異なるために、顕著である。
【００２１】
前記のように、本発明は、付香成分として式（Ｉ）の化合物の使用に関する。言い換えれば、本発明は、付香成分又は着香物品のにおい特性を付与する、高める、改良する又は改質するための方法に関し、該方法は、該組成物又は物品に、式（Ｉ）の少なくとも１つの化合物の有効量を付加することを含む。“式（Ｉ）の化合物の使用”に関しては、化合物（Ｉ）を含む、及び香料産業において有利に使用されてよいあらゆる組成物の使用もここで理解すべきである。
【００２２】
実際に付香成分として有利に使用される前記組成物は、本発明の目的でもある。
【００２３】
従って、本発明の他の目的は、
ｉ）付香成分として、前記の少なくとも１つの本発明の化合物、
ｉｉ）香料キャリヤー及び香料ベースからなる群から選択される少なくとも１つの成分、並びに
ｉｉｉ）場合により少なくとも１つの香料補助剤
を含む付香組成物である。
【００２４】
“香料キャリヤー”に関しては、ここでは、香料の観点から事実上中性である、すなわち付香成分の感覚刺激性の特性を著しく変更しない材料を意味する。前記キャリヤーは液体又は固体であってよい。
【００２５】
液体キャリヤーとしては、制限のない例として、乳化系、すなわち溶媒及び界面活性剤系、又は香料において通常使用される溶媒を挙げてよい。香料において通常使用される溶媒の性質及びタイプの詳細な説明は網羅できない。しかしながら、制限のない例として、最も通常使用される溶媒、例えばジプロピレングリコール、ジエチルフタレート、イソプロピルミリステート、ベンジルベンゾエート、２−（２−エトキシエトキシ）−１−エタノール又はクエン酸エチルを挙げられる。香料キャリヤー及び香料ベースの双方を含む組成物に関して、前記よりも他の適した香料キャリヤーは、エタノール、水／エタノール混合物、リモネン、又は他のテルペン、イソパラフィン、例えばＩｓｏｐａｒ（登録商標）（出所：Ｅｘｘｏｎ Ｃｈｅｍｉｃａｌ）又はグリコールエーテル及びグリコールエーテルエステル、例えば商標名Ｄｏｗａｎｏｌ（登録商標）（出所：Ｄｏｗ Ｃｈｅｍｉｃａｌ Ｃｏｍｐａｎｙ）で公知のものであってもよい。
【００２６】
固体キャリヤーとしては、制限のない例として、吸収性ゴム（ａｂｓｏｒｂｉｎｇ ｇｕｍ）又は吸収性ポリマー、又はさらに封入材料を挙げてよい。かかる材料の例は、造壁材料及び可塑材料、例えば単糖、二糖又は三糖、天然デンプン又は化工デンプン、浸水コロイド、セルロース誘導体、ポリビニルアセテート、ポリビニルアルコール、タンパク質又はペクチン、又はさらに、参考文献、例えばＨ． Ｓｃｈｅｒｚ， Ｈｙｄｒｏｋｏｌｌｏｉｄｅ： Ｓｔａｂｉｌｉｓａｔｏｒｅｎ， Ｄｉｃｋｕｎｇｓ− ｕｎｄ Ｇｅｌｉｅｒｍｉｔｔｅｌ ｉｎ Ｌｅｂｅｎｓｍｉｔｔｅｌｎ， Ｂａｎｄ ２ ｄｅｒ Ｓｃｈｒｉｆｔｅｎｒｅｉｈｅ Ｌｅｂｅｎｓｍｉｔｔｅｌｃｈｅｍｉｅ， Ｌｅｂｅｎｓｍｉｔｔｅｌｑｕａｌｉｔａｅｔ， Ｂｅｈｒ'ｓ Ｖｅｒｌａｇ ＧｍｂＨ ＆ Ｃｏ．， Ｈａｍｂｕｒｇ， １９９６において挙げられている材料を含んでよい。カプセル化は、当業者に公知の方法であり、かつ例えば噴霧乾燥、凝集又はさらに押し出しのような技術を使用して実施されてよく、又はコアセルベーション及び複合コアセルベーション技術を含む被覆カプセル化からなる。
【００２７】
“香料ベース”に関しては、ここでは、少なくとも１つの付香共成分を含む組成物を意味する。
【００２８】
前記付香共成分は、式（Ｉ）ではない。さらに、“付香共成分”に関しては、ここでは、心地よい効果を付与するための付香調合物又は組成物において使用される化合物を意味する。言い換えれば、付香共成分であると考えられるべきかかる共成分は、ポジティブ又は好ましい方法で組成物のにおいを付与又は改質することができると、及び単に１つのにおいを有するだけでないと当業者によって認識される必要がある。
【００２９】
あらゆる場合において網羅的ではない前記ベースにおいて存在する付香共成分の性質及びタイプは、ここでのより詳細な記載を保証せず、その際当業者は、一般の知識に基づいて、及び任意の使用又は適用及び所望された感覚刺激性効果に従って、前記ベースを選択することができる。一般的な用語で、これらの付香共成分は、アルコール、ラクトン、アルデヒド、ケトン、エステル、エーテル、アセテート、ニトリル、テルペノイド、窒素又は硫黄の複素環化合物及び精油と多様な化学品種に属し、かつ該付香共成分は、天然源又は合成源であってよい。これらの共成分の多くは、あらゆる場合において、参考文献、例えばＳ． ＡｒｃｔａｎｄｅｒによるＰｅｒｆｕｍｅ ａｎｄ Ｆｌａｖｏｒ Ｃｈｅｍｉｃａｌｓ， １９６９， Ｍｏｎｔｃｌａｉｒ， Ｎｅｗ Ｊｅｒｓｅｙ， ＵＳＡ、又はその最新版において、又は同様の種類の他の著作において、並びに香料の分野における豊富な特許文献において挙げられている。前記共成分は、調節された方法で種々のタイプの付香成分を放出することが公知の化合物であってもよい。
【００３０】
“香料補助剤”に関しては、ここで、追加の付加効果、例えば色、特定の光耐性、化学安定性等を付与することができる成分を意味する。付香ベースにおいて通常使用される補助剤の性質及びタイプの詳細な説明は網羅的ではなく、しかし該成分が当業者によく知られていることを挙げるべきである。
【００３１】
少なくとも１つの式（Ｉ）の化合物及び少なくとも１つの香料キャリヤーからなる本発明の組成物は、本発明の特定の実施態様を示し、及び少なくとも１つの式（Ｉ）の化合物、少なくとも１つの香料キャリヤー、少なくとも１つの香料ベース、及び場合により少なくとも１つの香料補助剤を含む付香組成物を示す。
【００３２】
ここで、前記組成物において、１つ以上の式（Ｉ）の化合物を有する可能性は、香料製造者が、アコード、香料を製造すること、本発明の種々の化合物のにおい香調を呈すること、従って彼らの作業のための新たな手段を創造することが可能であるために重要であることを挙げることが有用である。
【００３３】
明確化のために、本発明の化合物が出発生成物、中間生成物又は最終生成物として含まれる、化学合成から直接得るあらゆる混合物、例えば十分な精製なしの反応媒体が、該混合物が、香料のための適した形で本発明の化合物を提供しない限りは、本発明に従った付香組成物として考えられないことも理解される。従って、未精製の反応混合物は、一般に、特に明記されない限り本発明から除外される。
【００３４】
さらに、本発明の化合物は、現在の香水、すなわちファイン香水又は機能性香水の全ての分野において、前記（Ｉ）を付加する消費者製品のにおいをポジティブに付与する又は改良するために、有利に使用されてよい。従って、
ｉ）付香成分として、少なくとも１つの前記式（Ｉ）の化合物、及び
ｉｉ）香料消費者ベース
を含む付香消費者製品が、本発明の目的でもある。
【００３５】
本発明の化合物は、本発明の付香組成物自体又は付香組成物の一部を添加してよい。
【００３６】
明確化のために、“付香消費者製品”に関しては、少なくとも１つの付香効果を伝えることを期待した消費者製品、すなわち着香した消費者製品を意味することに注意すべきである。明確化のために、“香料消費者ベース”に関しては、ここで、付香成分と相容性であり、かつ適用される表面（例えば、皮膚、髪、織物、又は家の表面）に心地よいにおいを伝えることが期待される消費者製品に対応する、機能的調合物、及び場合により追加の有効物質を意味することを言及する。言い換えれば、本発明による付香消費者製品は、機能的な調合物、並びに場合により所望の消費者製品に対応する追加の有効物質、例えば洗剤又はエアフレッシュナー、及び嗅覚有効量の少なくとも１つの本発明の化合物を含む。
【００３７】
あらゆる場合において網羅的ではない香料消費者ベースの構成物の性質及びタイプは、ここでのより詳細な記載を保証せず、その際当業者は、一般の知識に基づいて、及び該製品の性質及び所望の効果に従って、前記ベースを選択することができる。
【００３８】
適した香料消費者ベースの制限のない例は、香水、例えばファイン香水、コロン、又はアフターシェービングローション；織物ケア製品、例えば液体又は固形洗剤、織物柔軟剤、織物リフレッシャー、アイロン水、紙、又は漂白剤；ボディケア製品、例えばヘアケア製品（例えばシャンプー、染毛料又はヘアスプレー）、化粧品調合物（例えばバニシングクリーム又はデオドラント又は発汗抑制剤）、又はスキンケア製品（例えば着香石鹸、シャワー又はバスムース、オイル又はゲル、又は衛生製品）；空気ケア製品、例えばエアフレッシュナー又は“すぐ使用できる”粉末エアフレッシュナー；又はホームケア製品、例えばワイプ、皿用洗剤又は硬質表面洗剤であってよい。
【００３９】
いくつかの前記消費者製品ベースは、本発明の化合物のアグレッシブな媒体を示してよく、その結果、適した外部刺激、例えば酵素、光、熱又はｐＨの変化に対して、例えばカプセル化によって、又は本発明の成分の放出に適した他の化学物質との化学的結合によって後者を早期の分解から保護する必要があってよい。
【００４０】
種々の前記物品又は組成物中に組込まれてよい本発明による化合物における割合は、広い範囲の値で変動する。これらの値は、着香されるべき物品の性質に、並びに所望の感覚刺激性効果及び本発明による化合物が、付香共成分、溶媒又は先行技術において通常使用される添加剤と混合される場合に、与えられたベースにおける共成分の性質に依存する。
【００４１】
例えば、付香組成物の場合において、典型的に濃度は、組込まれてよい組成物の質量に対して、本発明の化合物の０．０１質量％〜６０質量％、又はそれ以上の範囲である。これらより低い濃度、例えば０．００１質量％〜２０質量％の範囲は、これらの化合物が着香された物品中に組込まれる場合に使用されてよく、その際パーセンテージは物品の質量に対する。
【００４２】
本発明の化合物を、式１において記載したような方法に従って２−ノルボルネンから製造できる：
式１：一般の合成経路
【化４】
2015502443.tif 000007
［式中Ｒ及びＲ1は前記に示した意味を有する］。前記反応経路は、第一の中間体の二重結合が他の位置で異性化される工程を含んでよい。以下の実施例は、かかるアプローチの種々の例を示す。
【００４３】
実施例
本発明を以下の例に基づいてさらに詳細に記載するが、ここで略号は当業界で通常の意味を有し、温度は摂氏（℃）で示されている。ＮＭＲスペクトルのデータは、ＣＤＣｌ3（その他の記載がない限り）で1Ｈおよび13Ｃに関して３６０又は４００ＭＨｚで記録し、ケミカルシフトδは、ＴＭＳを標準液としてｐｐｍで記載し、結合定数Ｊは、Ｈｚで記載されている。
【００４４】
２，３−ジメチレンビシクロ［２．２．１］ヘプタンを、Ｃｈｅｍ． Ｂｅｒ．， １９５５， ８８， ４０７、又はＪ． Ａｍ． Ｃｈｅｍ． Ｓｏｃ， ２００３， １２５， ５８３９に従って製造した。４−メチル−トリシクロ［６．２．１．０（２，７）］ウンデク−４−エンをＥＰ ６７８４９７号において記載されたように得た。
【００４５】
実施例１
式（Ｉ）の化合物の合成
Ａ）
２，３−ジメチレンビシクロ［２．２．１］ヘプタンでのディールス・アルダーの一般的な方法
ジエノフィル（１７ｍｍｏｌ）を、ＣＨ2Ｃｌ2（２５ｍＬ）中で溶解し、そして−３０℃まで氷浴中で冷却した。ＥｔＡｌＣｌ2（ヘキサン中で１．０Ｍ、８．３２ｍＬ、８．３２ｍｍｏｌ、０．５ｅｑ）をゆっくりと滴加した。その溶液を、０℃で５〜１０分間撹拌し、そしてジメチレンビシクロ［２．２．１］ヘプタン（２．０ｇ、１７ｍｍｏｌ）をゆっくりと滴加した。その反応混合物を、周囲温度までゆっくりと暖め、そしてさらに１〜２時間周囲温度で撹拌し、そして水及びエタノール中に注いだ。３０分間激しく撹拌し、そしてその水性相をエーテルで再抽出した。合した有機相をＮＨ4Ｃｌ、そしてＮａＨＣＯ3、そして塩水で洗浄し、硫酸ナトリウム上で乾燥し、そして濾過し、溶媒を真空で取り出して、粗生成物を得た。カラムクロマトグラフィー及び又はバルブ−トゥ−バルブ蒸留によるさらなる精製は所望の生成物を得た。
【００４６】
１−［（１ＲＳ，４ＳＲ）−１，２，３，４，５，６，７，８−オクタヒドロ−６，７−ジメチル−１，４−メタノナフタレン−６−イル］−エタノンの製造：
ジエノフィル：３−Ｍｅ−ペント−３−エン−２−オン。
１５０℃、０．１ｍｂａｒでのバルブ−トゥ−バルブ蒸留は、無色の油状物として所望のケトン２．０ｇ、異性体の混合物（エンド：エキソ  ９：１、プラス１：１のメチルエピマー）を得て、収率５６％であった。
2015502443.tif 000008
【００４７】
Ｂ）
ノルボルネン及びジエンでのディールス・アルダーの一般的な方法
ステンレス鋼のオートクレーブ中で、ノルボルネン（１ｅｑ）を、ジエン（１．０〜１．６ｅｑ）及びＢＨＴ（ジ−ｔｅｒｔブチルヒドロキシトルエン）中で溶解し、そしてシールして、その混合物を、油浴中で２４〜４８時間１８０℃で加熱した。その混合物を冷却して、そして残りを、真空下で蒸留して、所望のアルケンを得た。
【００４８】
ａ）  （１ＲＳ，２ＲＳ，３ＲＳ，７ＲＳ）−３，５−ジメチル−トリシクロ［６．２．１．０（２，７）］ウンデク−４−エン及び（１ＲＳ，２ＲＳ，３ＳＲ，７ＲＳ）−３，５−ジメチル−トリシクロ［６．２．１．０（２，７）］ウンデク−４−エン（少量）
ノルボルネン（５０．０ｇ、０．５３ｍｏｌ）、メチルペンタ−１，３−ジエン（６５．４ｇ、０．７９ｍｏｌ）及びＢＨＴ（０．３ｇ）（４８時間）は、分留（８０℃で０．０８ｍｂａｒ）後に、所望のアルケン６５．０ｇ（１：４、異性体）を得た。
2015502443.tif 000009
【００４９】
ｂ）  （１ＲＳ，２ＳＲ，７ＲＳ，８ＳＲ）−３，４−ジメチルトリシクロ［６．２．１．０（２，７）］ウンデク−４−エン
ノルボルネン（１１．５ｇ、１２１ｍｍｏｌ）、３−メチルペンタ−１，３−ジエン（１５．０ｇ、１８２ｍｍｏｌ）及びＢＨＴ（０．３ｇ）（４８時間）は、分留（１００℃で０．０４ｍｂａｒ）後に、所望のアルケン８．７ｇ（１：４、異性体）を得た。
2015502443.tif 000010
【００５０】
異性化の一般的方法
架橋したアルケン（１００ｍｍｏｌ）を、エタノール（５０ｍＬ）中で溶解し、そしてパラジウム化木炭（１０％ Ｐｄ／Ｃ、１．０ｇ）を添加し、その懸濁液を、還流下で１〜４時間加熱し、そして冷却した。その懸濁液を濾過し、そして溶媒を真空で取り出し、粗アルケンを得た。真空下でのバルブ−トゥ−バルブ蒸留又はカラムクロマトグラフィーによるさらなる精製は、所望のアルケンを得た（収率８０〜９０％）。
【００５１】
ａ）  （１ＲＳ，４ＳＲ，４ａＲＳ，８ａＳＲ）−５，７−ジメチル−１，２，３，４，４ａ，５，６，８ａ−オクタヒドロ−１，４−メタノナフタレン
2015502443.tif 000011
【００５２】
ｂ）  （１ＲＳ，２ＳＲ，７ＲＳ，８ＳＲ）−３，４−ジメチルトリシクロ［６．２．１．０（２，７）］ウンデク−３−エン
2015502443.tif 000012
【００５３】
アシル化方法
１−［（１ＲＳ，４ＳＲ，４ａＳＲ，８ａＳＲ）−５，７−ジメチル−１，２，３，４，４ａ，５，６，８ａ−オクタヒドロ−１，４−メタノナフタレン−６−イル］エタノンの製造：
塩化亜鉛（５．０ｇ、３６ｍｏｌ）を、真空下で融合し、そして撹拌しながら窒素化で冷却した。ＣｌＣＨ2ＣＨ2Ｃｌ（１００ｍＬ）又はトルエン（５０ｍＬ）中で、Ｂ）ａ）において得られたアルケン（７５ｍｍｏｌ）及び酸無水物（３５ｇ、３５０ｍｍｏｌ）を添加し、そしてその懸濁液を８０〜９０℃で２〜３時間加熱し、そして冷却した。その混合物を水とエーテルとで分配し、そして水で再抽出した。その有機相を水、そしてＮＨ4Ｃｌ、ＮａＨＣＯ3、塩水で洗浄し、そしてＭｇＳＯ4上で乾燥し、濾過し、そして溶媒を真空で取り出して、粗ケトンを得た。バルブ−トゥ−バルブ蒸留又はカラムクロマトグラフィーによるさらなる精製は、所望のケトンを得た（収率５０〜８０％）。
【００５４】
１１０℃、０．１ｍｂａｒでのバルブ−トゥ−バルブ蒸留は、異性体（１４：１０：６：５４）の混合物として所望のケトン１２．２ｇを得た。
2015502443.tif 000013
【００５５】
１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノンの製造：
ＥｔＡｌＣｌ2（ヘキサン中で１．０Ｍ、３．１ｍＬ、３．１ｍｍｏｌ）の溶液を、（１ＲＳ，２ＳＲ，７ＲＳ，８ＳＲ）−３，４−ジメチルトリシクロ［６．２．１．０（２，７）］ウンデク−３−エンの撹拌した溶液をゆっくりと滴加し、ＣＨ2Ｃ１2（１０ｍＬ）中で（１．０ｇ、３．１ｍｍｏｌ）を得て、温度が＜５℃のままである割合で５℃まで冷却した。その反応混合物をゆっくりと周囲温度まで１時間にわたって暖め、そして氷／水の混合物中に注いだ。その混合物を、エーテルで二回再抽出し、水、ＮａＨＣＯ3、そして塩水で洗浄し、Ｎａ2ＳＯ4上で乾燥し、濾過し、そして溶媒を真空で取り出し、粗ケトン１．２ｇを淡黄色の油状物として得た。クロマトグラフィー（８０ ＧカートリッジＰｕｒｉｆｌａｓｈ ＰＦ５０−ＳｉＨＰ）による、シクロヘキサン：エチルアセテート、１９：１、そして９：１、そして４：１でのさらなる精製は所望のケトンを提供し、１６０℃、０．２ｍｂａｒでバルブ−トゥ−バルブ蒸留して、異性体の混合物（７２：２８）としてケトン６００ｍｇを得た。
2015502443.tif 000014
【００５６】
１−（（１ＲＳ，４ＳＲ，４ａＲＳ，８ａＳＲ）−７−メチル−１，２，３，４，４ａ，５，６，８ａ−オクタヒドロ−１，４−メタノナフタレン−６−イル）エタノンの製造：
ＺｎＢｒ2（３．０ｇ、１３．４ｍｍｏｌ）を、酸無水物（３０ｍＬ）及び４−メチル−トリシクロ［６．２．１．０（２，７）］ウンデク−４−エン（１０．０ｇ、６２ｍｍｏｌ）の溶液に添加し、そして還流下で加熱した。還流の２時間後に、その混合物を冷却し、そして希釈ＮＨ4ＯＨ（６％）中に注ぎ、そしてジエチルエーテルで抽出した。その有機相を、飽和ＮａＨＣＯ3、そして塩水で洗浄し、Ｎａ2ＳＯ4上で乾燥し、濾過し、そして溶媒を真空で取り出した。粗ケトン（９．３ｇ、オレンジの油状物）を、１２０℃、０．１ｍｂａｒでバルブ−トゥ−バルブ蒸留して、異性体の混合物（７：６：１６：２１：１６）として所望のケトン５．４ｇを得た。溶出剤としてシクロヘキサン：エチルアセテートでのクロマトグラフィー（４０Ｇシリカゲル）後に、所望の異性体を得た。０．３ｍｂａｒ、１３０℃でのバルブ−トゥ−バルブ蒸留によるさらなる精製は、エンド及びエキソのエピマーの混合物（９１：４）としてアルファ異性体４５０ｍｇを得た。
2015502443.tif 000015
【００５７】
さらなる溶出はベータ異性体を提供し、０．３ｍｂａｒ、１３０℃でのバルブ−トゥ−バルブ蒸留によるさらなる精製は、ベータ異性体（α−β不飽和）７００ｍｇを得た。
2015502443.tif 000016
【００５８】
１−（（１ＲＳ，４ＳＲ，４ａＲＳ，８ａＳＲ）−７−メチル−１，２，３，４，４ａ，５，６，８ａ−オクタヒドロ−１，４−メタノナフタレン−６−イル）−１−プロパノンの製造：
ＺｎＢｒ2（３．５ｇ、１５．４ｍｍｏｌ）をジクロロエタン（１５ｍＬ）中で懸濁し、そして還流に加熱した。ジクロロエタン（１０ｍＬ）中でプロピオン酸無水物（１２．０ｇ、９２ｍｍｏｌ）及び４−メチル−トリシクロ［６．２．１．０（２，７）］ウンデク−４−エン（５．０ｇ、３０．８ｍｍｏｌ）の溶液をゆっくりと滴加した。還流の６時間後に、その混合物を冷却し、そして希釈ＮＨ4ＯＨ（６％）中に注ぎ、そしてジエチルエーテルで抽出した。その有機相を、飽和ＮａＨＣＯ3、そして塩水で洗浄し、Ｎａ2ＳＯ4上で乾燥し、濾過し、そして溶媒を真空で取り出した。粗ケトン（８．０ｇ、オレンジの油状物）を、１２０℃、０．２ｍｂａｒでバルブ−トゥ−バルブ蒸留して、異性体の混合物（２１：２５：２２：１２）として所望のケトン３．２ｇ（４８％）を得た。
2015502443.tif 000017
【００５９】
一般のエピマー化方法
ナトリウムエトキシド（エタノール中で２１％、０．５ｍＬ）の溶液を、エーテル（５ｍＬ）中でのケトン混合物（１ｇ、ｘｘ ｍｍｏｌ）の溶液に周囲温度でゆっくりと滴加した。その混合物を、さらに１２〜１５時間周囲温度で撹拌し、そして水及びエーテルに注いだ。その水性相をエーテルで再抽出した。合した有機相を、飽和ＮＨ4Ｃｌ、塩水で洗浄し、そしてＮａ2ＳＯ4上で乾燥し、濾過し、そして溶媒を真空で取り出して、粗ケトンを得た。減圧下でのバルブ−トゥ−バルブ蒸留によるさらなる精製は、異性体の異なる混合物として所望のケトンを得た。
【００６０】
１−［（１ＲＳ，４ＳＲ，４ａＳＲ，５ＳＲ，６ＲＳ，８ａＳＲ）−５，７−ジメチル−１，２，３，４，４ａ，５，６，８ａ−オクタヒドロ−１，４−メタノナフタレン−６−イル］エタノンの製造：
ナトリウムエトキシド（エタノール中で２１％、０．５ｍＬ）を、エーテル（５ｍＬ）中で１−［（１ＲＳ，４ＳＲ，４ａＳＲ，８ａＳＲ）−５，７−ジメチル−１，２，３，４，４ａ，５，６，８ａ−オクタヒドロ−１，４−メタノナフタレン−６−イル］エタノン（０．９ｇ、４．６ｍｍｏｌ）の撹拌溶液を添加し、そして周囲温度で１２時間撹拌した。酢酸（１ｍＬ）及びエーテルを添加し、そして有機相を水で２回、そして塩水で洗浄し、そしてＮａ2ＳＯ4上で乾燥し、濾過し、そして溶媒を真空で取り出して、粗ケトン０．７５ｇを得た。１１０℃、０．２ｍｂａｒでバルブ−トゥ−バルブ蒸留は、異性体の混合物（４６：６：１８：２３）として所望のケトンを得た。
2015502443.tif 000018
【００６１】
一般の水素化方法
ステンレス鋼のオートクレーブ中で、ケトン（１０ｍｍｏｌ）を、エチルアセテート（１０ｍＬ）中で溶解し、そしてＰｄ／Ｃ（１０％、１００ｍｇ）を添加し、その懸濁液を、５回水素ガスでパージし、そして水素ガスの雰囲気（５−１０ｂａｒ）下で１〜３時間撹拌した。そして過剰な水素圧を排出し、そして窒素でパージし、そしてシリカのプラグを介して濾過し、そのプラグをエチルアセテートで洗浄した。溶媒を真空で取り出した。残りのバルブ−トゥ−バルブ蒸留は、所望のケトン８０〜９５％を得た。
【００６２】
１−［（１ＲＳ，４ＳＲ，４ａＲＳ，８ａＳＲ）−７−メチルデカヒドロ−１，４−メタノナフタレン−６−イル］エタノンの製造：
2015502443.tif 000019
【００６３】
実施例２
付香組成物の製造
ウッディータイプの付香組成物を、次の成分を混合することによって製造した：
2015502443.tif 000020
１）  （−）−（８Ｒ）−８，１２−エポキシ−１３，１４，１５，１６−テトラノルラブダン；出所：Ｆｉｒｍｅｎｉｃｈ ＳＡ、Ｇｅｎｅｖａ、Ｓｗｉｔｚｅｒｌａｎｄ
２）  １，２，３，５，６，７−ヘキサヒドロ−１，１，２，３，３−ペンタメチル−４−インデノン；出所：Ｉｎｔｅｒｎａｔｉｏｎａｌ Ｆｌａｖｏｒｓ ＆ Ｆｒａｇｒａｎｃｅｓ、ＵＳＡ
３）  ４−シクロヘキシル−２−メチル−２−ブタノール；出所：Ｆｉｒｍｅｎｉｃｈ ＳＡ、Ｇｅｎｅｖａ、Ｓｗｉｔｚｅｒｌａｎｄ
４）  １，３，４，６，７，８−ヘキサヒドロ−４，６，６，７，８，８−ヘキサメチル−シクロペンタ−ｇ−２−ベンゾピラン；出所：Ｉｎｔｅｒｎａｔｉｏｎａｌ Ｆｌａｖｏｒｓ ＆ Ｆｒａｇｒａｎｃｅｓ、ＵＳＡ
５）  メチルジヒドロジャスモネート；出所：Ｆｉｒｍｅｎｉｃｈ ＳＡ、Ｇｅｎｅｖａ、Ｓｗｉｔｚｅｒｌａｎｄ
６）  プロピル（Ｓ）−２−（１，１−ジメチルプロポキシ）プロパノエート；出所：Ｆｉｒｍｅｎｉｃｈ ＳＡ、Ｇｅｎｅｖａ、Ｓｗｉｔｚｅｒｌａｎｄ。
【００６４】
２００質量部の１−［（１ＲＳ，８ＳＲ）−４，５−ジメチルトリシクロ［６．２．１．０（２，７）］ウンデク−２（７）−エン−４−イル］エタノンの、前記組成物への添加は、ウッディーノートからウッディー、スウィート（ほとんどバニラ）のノートまでをツイストし、そしてベチバーノートを強化した。
【００６５】
同量のＩｓｏ Ｅ（登録商標）Ｓｕｐｅｒ（１−（オクタヒドロ−２，３，８，８−テトラメチル−２−ナフタレニル）−１−エタノン）の前記組成物への添加は、アンバーノートを強化する一方で、ベチバーノートは改質しなかった。
【００６６】
実施例３
付香組成物の製造
フローラルタイプの洗剤のための付香組成物を、次の成分を混合することによって製造した：
2015502443.tif 000021
2015502443.tif 000022
１）  （メトキシメトキシ）シクロドデカン；出所：Ｓｙｍｒｉｓｅ、Ｈｏｌｚｍｉｎｄｅｎ、ＤＥ
２）  ドデカヒドロ−３ａ，６，６，９ａ−テトラメチル−ナフト［２，１−ｂ］フラン；出所：Ｆｉｒｍｅｎｉｃｈ ＳＡ、Ｇｅｎｅｖａ、Ｓｗｉｔｚｅｒｌａｎｄ
３）  ペンタデカノリド；出所：Ｆｉｒｍｅｎｉｃｈ ＳＡ、Ｇｅｎｅｖａ、Ｓｗｉｔｚｅｒｌａｎｄ
４）  ３−（４−ｔｅｒｔ−ブチルフェニル）−２−メチルプロパナール；出所：Ｇｉｖａｕｄａｎ ＳＡ、Ｖｅｒｎｉｅｒ、Ｓｗｉｔｚｅｒｌａｎｄ
５）  メチル２，２−ジメチル−６−メチレン−１−シクロヘキサンカルボキシレート；出所Ｆｉｒｍｅｎｉｃｈ ＳＡ、Ｇｅｎｅｖａ、Ｓｗｉｔｚｅｒｌａｎｄ
６）  ２−ｔｅｒｔ−ブチル−１−シクロヘキシルアセテート；出所：Ｉｎｔｅｒｎａｔｉｏｎａｌ Ｆｌａｖｏｒｓ ＆ Ｆｒａｇｒａｎｃｅｓ、ＵＳＡ。
【００６７】
２００質量部の１−［（１ＲＳ，８ＳＲ）−４，５−ジメチルトリシクロ［６．２．１．０（２，７）］ウンデク−２（７）−エン−４−イル］エタノンの、前記組成物への添加は、前記組成物に暖かみのあるウッディーノート、わずかにシダー及びエレガントなグレープフルーツボトムノートを付与し、かつルーティツイストも付与した。
【００６８】
同量のＩｓｏ Ｅ（登録商標）Ｓｕｐｅｒ（１−（オクタヒドロ−２，３，８，８−テトラメチル−２−ナフタレニル）−１−エタノン）の前記組成物への添加によって、その効果は、ドライヤーであり、より多いアンバーであり、少しもシトラスではない。
【００６９】
実施例４
付香組成物の製造
フローラル、ムスキー及びパウダリータイプの柔軟剤のための付香組成物を、次の成分を混合することによって製造した：
2015502443.tif 000023
2015502443.tif 000024
１）  ドデカヒドロ−３ａ，６，６，９ａ−テトラメチル−ナフト［２，１−ｂ］フラン；出所：Ｆｉｒｍｅｎｉｃｈ ＳＡ、Ｇｅｎｅｖａ、Ｓｗｉｔｚｅｒｌａｎｄ
２）  メチルジヒドロジャスモネート；出所：Ｆｉｒｍｅｎｉｃｈ ＳＡ、Ｇｅｎｅｖａ、Ｓｗｉｔｚｅｒｌａｎｄ
３）  ３−（４−ｔｅｒｔ−ブチルフェニル）−２−メチルプロパナール；出所：Ｇｉｖａｕｄａｎ ＳＡ、Ｖｅｒｎｉｅｒ、Ｓｗｉｔｚｅｒｌａｎｄ
４）  ４／３−（４−ヒドロキシ−４−メチルペンチル）−３−シクロヘキセン−１−カルバルデヒド；出所：Ｉｎｔｅｒｎａｔｉｏｎａｌ Ｆｌａｖｏｒｓ ＆ Ｆｒａｇｒａｎｃｅｓ、ＵＳＡ
５）  ３−メチル−５−シクロペンタデセン−１−オン；出所：Ｆｉｒｍｅｎｉｃｈ ＳＡ、Ｇｅｎｅｖａ、Ｓｗｉｔｚｅｒｌａｎｄ
６）  配合した香料ベース；出所：Ｆｉｒｍｅｎｉｃｈ ＳＡ、Ｇｅｎｅｖａ、Ｓｗｉｔｚｅｒｌａｎｄ
７）  （１Ｓ，１’Ｒ）−［１−（３’，３’−ジメチル−１’−シクロヘキシル）エトキシカルボニル］メチルプロパノエート；出所：Ｆｉｒｍｅｎｉｃｈ ＳＡ、Ｇｅｎｅｖａ、Ｓｗｉｔｚｅｒｌａｎｄ
８）  ５−（２，２，３−トリメチル−３−シクロペンテニル）−３−メチルオエンタン−２−オール；出所：Ｆｉｒｍｅｎｉｃｈ ＳＡ、Ｇｅｎｅｖａ、Ｓｗｉｔｚｅｒｌａｎｄ
９）  ２−ｔｅｒｔ−ブチル−１−シクロヘキシルアセテート；出所：Ｉｎｔｅｒｎａｔｉｏｎａｌ Ｆｌａｖｏｒｓ ＆ Ｆｒａｇｒａｎｃｅｓ、ＵＳＡ。
【００７０】
５００質量部の１−［（１ＲＳ，８ＳＲ）−４，５−ジメチルトリシクロ［６．２．１．０（２，７）］ウンデク−２（７）−エン−４−イル］エタノンの、前記組成物への添加は、甘み及び機能的な側面を前記組成物に付与した。
【００７１】
同量のＩｓｏ Ｅ（登録商標）Ｓｕｐｅｒ（１−（オクタヒドロ−２，３，８，８−テトラメチル−２−ナフタレニル）−１−エタノン）の前記組成物への添加によって、その効果は、ドライヤーであり、より少ないスウィートであり、より多いシダーであり、かつより少ない機能性である。
【００７２】
実施例５
付香組成物の製造
ウッディータイプの男性用コロンのための付香組成物を、次の成分を混合することによって製造した：
2015502443.tif 000025
１）  （−）−（８Ｒ）−８，１２−エポキシ−１３，１４，１５，１６−テトラノルラブダン；出所：Ｆｉｒｍｅｎｉｃｈ ＳＡ、Ｇｅｎｅｖａ、Ｓｗｉｔｚｅｒｌａｎｄ
２）  １，２，３，５，６，７−ヘキサヒドロ−１，１，２，３，３−ペンタメチル−４−インデノン；出所：Ｉｎｔｅｒｎａｔｉｏｎａｌ Ｆｌａｖｏｒｓ ＆ Ｆｒａｇｒａｎｃｅｓ、ＵＳＡ
３）  ８−メトキシ−２，６，６，８−テトラメチル−トリシクロ［５．３．１．０（１，５）］ウンデカン
４）  １，３，４，６，７，８−ヘキサヒドロ−４，６，６，７，８，８−ヘキサメチル−シクロペンタ−ｇ−２−ベンゾピラン；出所：Ｉｎｔｅｒｎａｔｉｏｎａｌ Ｆｌａｖｏｒｓ ＆ Ｆｒａｇｒａｎｃｅｓ、ＵＳＡ
５）  メチルジヒドロジャスモネート；出所：Ｆｉｒｍｅｎｉｃｈ ＳＡ、Ｇｅｎｅｖａ、Ｓｗｉｔｚｅｒｌａｎｄ。
【００７３】
２０００質量部の１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノンの前記組成物への添加は、前記組成物に、パチュリよりむしろウッディーノートを付与し、非常にソフトであった。
【００７４】
同量のＩｓｏ Ｅ（登録商標）Ｓｕｐｅｒ（１−（オクタヒドロ−２，３，８，８−テトラメチル−２−ナフタレニル）−１−エタノン）又はＶｅｒｔｏｆｉｘ（１−（２，６，８，８−，テトラメチルトリシクロ（５．３．１．０１，５）ウンデク−８−エン−９−イル）−１−エタノン）の前記組成物への添加によって、その効果は、ドライヤーであり、よりドライなシダーである。
【００７５】
１［（１ＲＳ，４ＳＲ，８ａＳＲ）−１，２，３，４，６，７，８，８ａ−オクタヒドロ−５，６−ジメチル−１，４−メタノナフタレン−６−イル］−エタノンは、ベチバーノートを強化したのに対して、Ｉｓｏ Ｅ（登録商標）Ｓｕｐｅｒ及びＶｅｒｔｏｆｉｘは、ドライアンバーノートを強調した。
【００７６】
実施例６
付香組成物の製造
ムスキー及びシトラスタイプのコロンのための付香組成物を、次の成分を混合することによって製造した：
2015502443.tif 000026
１）  （−）−（８Ｒ）−８，１２−エポキシ−１３，１４，１５，１６−テトラノルラブダン；出所：Ｆｉｒｍｅｎｉｃｈ ＳＡ、Ｇｅｎｅｖａ、Ｓｗｉｔｚｅｒｌａｎｄ
２）  ２，６，１０−トリメチル−９−ウンデセナール；出所：Ｓｙｍｒｉｓｅ、Ｈｏｌｚｍｉｎｄｅｎ、ＤＥ
３）  １，３，４，６，７，８−ヘキサヒドロ−４，６，６，７，８，８−ヘキサメチル−シクロペンタ−ｇ−２−ベンゾピラン；出所：Ｉｎｔｅｒｎａｔｉｏｎａｌ Ｆｌａｖｏｒｓ ＆ Ｆｒａｇｒａｎｃｅｓ、ＵＳＡ
４）  メチルジヒドロジャスモネート；出所：Ｆｉｒｍｅｎｉｃｈ ＳＡ、Ｇｅｎｅｖａ、Ｓｗｉｔｚｅｒｌａｎｄ
５）  ４／３−（４−ヒドロキシ−４−メチルペンチル）−３−シクロヘキセン−１−カルバルデヒド；出所：Ｉｎｔｅｒｎａｔｉｏｎａｌ Ｆｌａｖｏｒｓ ＆ Ｆｒａｇｒａｎｃｅｓ、ＵＳＡ
６）  トランス−１−（２，２，６−トリメチル−１−シクロヘキシル）−３−ヘキサノール；出所：Ｆｉｒｍｅｎｉｃｈ ＳＡ、Ｇｅｎｅｖａ、Ｓｗｉｔｚｅｒｌａｎｄ
７）  （５，６，７，８−テトラヒドロ−３，５，５，６，８，８−ヘキサメチル−２−ナフチル）−１−エタノン；出所：Ｇｉｖａｕｄａｎ ＳＡ、Ｖｅｒｎｉｅｒ、Ｓｗｉｔｚｅｒｌａｎｄ。
【００７７】
１５００質量部の１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノンの前記組成物への添加は、前記組成物に、パレットにおいて公知でなく、あらゆる公知の成分で達せられず、かかる高いパーセンテージで使用した場合でさえも、ウッディー、暖かみのある／トロピカルな側面を付与した。この効果は、その効果が最初の組成物と比較して異なるために、使用の容易さ及び多用性を証明する。
【００７８】
実施例７
付香組成物の製造
フローラル及びウッディータイプの洗剤のための付香組成物を、次の成分を混合することによって製造した：
2015502443.tif 000027
2015502443.tif 000028
１）  エチル２−メチル−ペンタノエート；出所：Ｆｉｒｍｅｎｉｃｈ ＳＡ、Ｇｅｎｅｖａ、Ｓｗｉｔｚｅｒｌａｎｄ
２）  ドデカヒドロ−３ａ，６，６，９ａ−テトラメチル−ナフト［２，１−ｂ］フラン；出所：Ｆｉｒｍｅｎｉｃｈ ＳＡ、Ｇｅｎｅｖａ、Ｓｗｉｔｚｅｒｌａｎｄ
３）  （１’Ｒ，Ｅ）−２−エチル−４−（２’，２’，３’−トリメチル−３’−シクロペンテン−１’−イル）−２−ブテン−１−オール；出所：Ｆｉｒｍｅｎｉｃｈ ＳＡ、Ｇｅｎｅｖａ、Ｓｗｉｔｚｅｒｌａｎｄ
４）  ペンタデカノリド；出所：Ｆｉｒｍｅｎｉｃｈ ＳＡ、Ｇｅｎｅｖａ、Ｓｗｉｔｚｅｒｌａｎｄ
５）  メチルイオノン異性体の混合物；出所：Ｆｉｒｍｅｎｉｃｈ ＳＡ、Ｇｅｎｅｖａ、Ｓｗｉｔｚｅｒｌａｎｄ
６）  ３−（４−ｔｅｒｔ−ブチルフェニル）−２−メチルプロパナール；出所：Ｇｉｖａｕｄａｎ ＳＡ、Ｖｅｒｎｉｅｒ、Ｓｗｉｔｚｅｒｌａｎｄ
７）  メチル２，２−ジメチル−６−メチレン−１−シクロヘキサンカルボキシレート；出所Ｆｉｒｍｅｎｉｃｈ ＳＡ、Ｇｅｎｅｖａ、Ｓｗｉｔｚｅｒｌａｎｄ
８）  ２−ｔｅｒｔ−ブチル−１−シクロヘキシルアセテート；出所：Ｉｎｔｅｒｎａｔｉｏｎａｌ Ｆｌａｖｏｒｓ ＆ Ｆｒａｇｒａｎｃｅｓ、ＵＳＡ。
【００７９】
１５００質量部の１−［（１ＲＳ，４ＳＲ，８ａＳＲ）−１，２，３，４，６，７，８，８ａ−オクタヒドロ−５，６−ジメチル−１，４−メタノナフタレン−６−イル］−エタノンの前記組成物への添加は、前記組成物に、ソフトな及びスムースなウッディーの側面を付与した。このノートは、湿った及び乾燥した織物上も観察される。
【国際調査報告】
2015502443.tif 000030
2015502443.tif 000031